(57)【要約】      （修正有）【課題】粘性流動体の詰め替えが容易にでき、粘性流動体の残量を少なくすることができる抽出装置を提供する。【解決手段】粘性流動体５を充填した容器１内に、粘性流動体の液面に接触して液面と一緒に上下動する落とし蓋６を装着するとともに、上端に抽出ポンプ１４を備えて成る吸上げパイプ９を、落とし蓋の貫通孔８内に差し込み挿入した状態で下向きに延びるように配設し、この吸上げパイプの下端を、容器の底面板３に近接して開口する。吸上げパイプ９又は落とし蓋６に、吸上げパイプを貫通孔内への差し込み挿入ときにその差し込み挿入を許容し、差し込み挿入の完了したあとで抜け不能に係合する係合片１８を設ける。【選択図】図１
0003168181.tif 000002
【実用新案登録請求の範囲】
【請求項１】
粘性流動体が充填される筒型の容器の内部に，前記粘性流動体の液面に接触して液面と一緒に上下動する落とし蓋を装着するとともに，上端に抽出ポンプを備えて成る吸上げパイプを，前記落とし蓋に穿設の貫通孔内に摺動自在に差し込み挿入した状態で下向きに延びるように配設し，この吸上げパイプの下端を，前記容器の底面板に近接した部位において開口する構成にした容器における粘性流動体の抽出装置において，
前記吸上げパイプ又は前記落とし蓋には，前記吸上げパイプを前記貫通孔内への差し込み挿入するときにその差し込み挿入を許容し，前記差し込み挿入の完了したあとで抜け不能に係合する係合片が設けられていることを特徴とする容器における粘性流動体の抽出装置。
【請求項２】
前記請求項１の記載において，前記係合片は，前記吸上げパイプの前記貫通孔内への差し込み挿入を許容するように引っ込んだ状態と，前記差し込み挿入の完了したあとで抜け不能に突出する状態とに出没動する構成であることを特徴とする容器における粘性流動体の抽出装置。
【請求項３】
前記請求項１又は２の記載において，前記係合片は，前記吸上げパイプにおける円周に沿って少なくとも二箇所以上の複数の等分箇所に設けられていることを特徴とする容器における粘性流動体の抽出装置。
【請求項４】
前記請求項１〜３のいずれかの記載において, 前記係合片は，前記吸上げパイプの下端に設けられている一方，前記落とし蓋における下面のうち前記係合片が係合する部分には，前記係合片が嵌まる凹所が設けられていることを特徴とする容器における粘性流動体の抽出装置。
【請求項５】
前記請求項４の記載において，前記係合片は，前記吸上げパイプに半径方向に撓み変形するように一体に形成した弾性片に設けられていることを特徴とする容器における粘性流動体の抽出装置。
【請求項６】
前記請求項４又は５の記載において，前記弾性片は，前記吸上げパイプにその下端縁から上向きに延びるように設けた一対の切り込み部によってその間に形成されており，前記切り込み部は，前記落とし蓋が前記係合片に係合したときに当該落とし蓋の設けたボス部にて塞がれる構成であることを特徴とする容器における粘性流動体の抽出装置。
【請求項７】
前記請求項１〜６のいずれかの記載において，前記落とし蓋の外周には，前記容器の内面に沿って摺動する筒部が設けられていることを特徴とする容器における粘性流動体の抽出装置。
【考案の詳細な説明】
【技術分野】
【０００１】
本考案は，容器に充填したクリーム等の粘性流動体を，前記容器から抽出するための抽出装置に関するものである。
【背景技術】
【０００２】
従来，容器に充填したクリーム等の粘性流動体を前記容器から抽出する装置は，例えば，特許文献１〜４等に記載されているように，
「クリーム等のような粘性流動体を充填した筒型の容器の内部に，前記粘性流動体の液面に接触する落とし蓋を，前記粘性流動体の液面と一緒に上下動するように装着するとともに，上端に抽出ポンプを備えて成る吸上げパイプを，前記落とし蓋に穿設の貫通孔内に摺動自在に差し込み挿入して下向きに延びるように配設し，この吸上げパイプの下端を，前記容器の底面板に近接した部位において開口する。」
という構成にしている。
【０００３】
この種の抽出装置は，前記容器内のうち落とし蓋より下側の部分に充填されているクリーム等の粘性流動体を，前記吸上げパイプの上端における抽出ポンプの手動操作によって，前記落とし蓋の上面に作用する大気圧にて下向きに押圧しながら定量ずつ抽出するというものである。
【０００４】
そして，前記特許文献１〜４のうち特許文献１，２（前者）は，前記吸上げパイプの下端にストッパーを設けることなく，前記吸上げパイプを前記落とし蓋から引き抜くことができる構成にした場合である。
【０００５】
一方，特許文献３，４（後者）は，前記吸上げパイプの下端に外向きに突出するフランジ部を設けることによって，前記吸上げパイプを前記落とし蓋から引き抜くことができない構成にした場合である。
【先行技術文献】
【特許文献】
【０００６】
【特許文献１】実開平０３−０４５８８３号公報
【特許文献２】特開２００５−３２００４５号公報
【特許文献３】実開平０４−０４１８８６号公報
【特許文献４】特開２００４−０３４９９７号公報
【考案の概要】
【考案が解決しようとする課題】
【０００７】
前者の特許文献１，２に記載の構成においては，容器内への充填作業が，先ず容器内に粘性流動体の適宜量を充填し，次いで，前記容器内に落とし蓋を前記粘性流動体の液面に接触するように装填したのち，上端に抽出ポンプを備えた吸上げパイプを差し込み挿入するという作業順序で，至極簡単にでき，充填の作業能力が高いという利点がある。
【０００８】
しかし，その反面，前記容器における粘性流動体の詰め替えを行なう場合に，前記吸上げパイプを容器内から引き抜いたときに，前記落とし蓋が容器内に残ることになり，この容器内に残った落とし蓋は，前記吸上げパイプの引き抜きとは別に容器内から取り出しなければならないから，内容物の詰め替えが可成り困難であるという問題があるばがりか，前記落とし蓋を取り外すことを忘れて粘性流動体を充填してしまって，それより以降の使用（粘性流動体の抽出）が不能になる事態を招来するという問題もあった。
【０００９】
これに対し，後者の特許文献３，４に記載の構成においては，容器内に装填した落とし蓋を，前記吸上げパイプを容器内から引き抜くのと一緒に容器内から取り出すことができるので，内容物の詰め替えが困難になったり，使用不能になったりすることを回避できるという利点がある。
【００１０】
しかし，その反面，容器への充填作業に際しては，前記落とし蓋を前記吸上げパイプに対して，予め，当該吸上げパイプを落とし蓋における貫通孔に差し込み挿入するように組み付けし，この組み付けした状態で前記吸上げパイプに抽出ポンプを取付けたのち，これら落とし蓋及び吸上げパイプの両方を同時に容器内に装填するようにしなければならないから，その充填の作業性が，前者の場合よりも大幅に悪くなるばかりか，前記容器への装填中において，前記落とし蓋及び前記吸上げパイプを損傷するおそれが大きいという問題がある。
【００１１】
しかも，後者の特許文献３，４に記載の構成においては，前記落とし蓋が容器の底面板に最も接近した時点で，前記落とし蓋と，容器の底面板との間に，前記吸上げパイプの下端に抜け不能にするために設けたフランジ部の厚さに対応する隙間が必然的に存在することになって，この隙間の部分に粘性流動体が残ることになるから，粘性流動体の残量が多くなるという問題もあった。
【００１２】
本考案は，これらの問題を解消することを技術的課題としている。
【課題を解決するための手段】
【００１３】
この技術的課題を達成するため請求項１は，
「粘性流動体が充填される筒型の容器の内部に，前記粘性流動体の液面に接触して液面と一緒に上下動する落とし蓋を装着するとともに，上端に抽出ポンプを備えて成る吸上げパイプを，前記落とし蓋に穿設の貫通孔内に摺動自在に差し込み挿入した状態で下向きに延びるように配設し，この吸上げパイプの下端を，前記容器の底面板に近接した部位において開口する構成にした容器における粘性流動体の抽出装置において，
前記吸上げパイプ又は前記落とし蓋には，前記吸上げパイプを前記貫通孔内への差し込み挿入するときにその差し込み挿入を許容し，前記差し込み挿入の完了したあとで抜け不能に係合する係合片が設けられている。」
ことを特徴としている。
【００１４】
請求項２は，
「前記請求項１の記載において，前記係合片は，前記吸上げパイプの前記貫通孔内への差し込み挿入を許容するように引っ込んだ状態と，前記差し込み挿入の完了したあとで抜け不能に突出する状態とに出没動する構成である。」
ことを特徴としている。
【００１５】
請求項３は，
「前記請求項１又は２の記載において，前記係合片は，前記吸上げパイプにおける円周に沿って少なくとも二箇所以上の複数の等分箇所に設けられている。」
ことを特徴としている。
【００１６】
請求項４は，
「前記請求項１〜３のいずれかの記載において, 前記係合片は，前記吸上げパイプの下端に設けられている一方，前記落とし蓋における下面のうち前記係合片が係合する部分には，前記係合片が嵌まる凹所が設けられている。」
ことを特徴としている。
【００１７】
請求項５は，
「前記請求項４の記載において，前記係合片は，前記吸上げパイプに半径方向に撓み変形するように一体に形成した弾性片に設けられている。」
ことを特徴としている。
【００１８】
請求項６は，
「前記請求項４又は５の記載において，前記弾性片は，前記吸上げパイプにその下端縁から上向きに延びるように設けた一対の切り込み部によってその間に形成されており，前記切り込み部は，前記落とし蓋が前記係合片に係合したときに当該落とし蓋の設けたボス部にて塞がれる構成である。」
ことを特徴としている。
【００１９】
請求項７は，
「前記請求項１〜６のいずれかの記載において，前記落とし蓋の外周には，前記容器の内面に沿って摺動する筒部が設けられている。」
ことを特徴としている。
【考案の効果】
【００２０】
請求項１の記載によると，吸上げパイプの下端に設けた抜け止め用の係合片が出没動する構成であることにより，前記吸上げパイプを落とし蓋に差し込み挿入することを，先ず，容器内に粘性流動体の適宜量を充填し，次いで，この粘性流動体の液面に前記落とし蓋を装填したあとにおいて行なうことができる。
【００２１】
この吸上げパイプの差し込み挿入が完了すると，前記係合片は，前記吸上げパイプの外周面より突出して前記落とし蓋の下面に係合するから，前記落とし蓋は前記吸上げパイプに抜け不能に保持される。
【００２２】
これにより，容器内への充填作業が，先ず容器内に粘性流動体を充填し，次いで容器内に落とし蓋を装填したのち，吸上げパイプを差し込み挿入するという作業順序で，前記吸上げパイプ等の損傷を招来することなく，高い作業性を持って至極簡単に行なうことができる。
【００２３】
その一方において，前記吸上げパイプを容器内から引き抜くことで，これと一緒に前記落とし蓋を容器内から取り出すことができるから，前記粘性流動体の詰め替えが容易にできるばかりか，前記落とし蓋の取り出し忘れに起因して，使用（粘性流動体の抽出）不能を招来することを回避できる。
【００２４】
この場合，前記係合片は，実質的に，請求項２に記載した構成にすることが好ましく，また，前記係合片を，請求項３に記載したように，前記吸上げパイプにおける円周に沿って少なくとも二箇所以上の複数の等分箇所に設けることにより，前記落とし蓋を，前記吸上げパイプの引き抜きと一緒に容器内から取り外すときに，当該落とし蓋が前記吸上げパイプの軸線に対して傾くのを，小さく又は無くすることができるから，前記落とし蓋の容器内からの取り出しが容易になる。
【００２５】
次に，請求項４によると，前記落とし蓋が容器の底面板に最も接近した時点において前記容器内に残ることになる粘性流動体の残量を，前記係合片を前記落とし蓋における凹所に嵌めることで大幅に少なくできる。
【００２６】
また，請求項５によると，前記係合片は，前記吸上げパイプを前記落とし蓋に対して差し込み挿入するときには，弾性片の弾性に抗して内向きに引っ込んだ状態になって，前記吸上げパイプの前記落とし蓋への差し込み挿入を許容しているが，前記差し込み挿入が完了すると，前記弾性片における弾性にて，前記吸上げパイプの外周面より外向きに突出する状態になって，前記落とし蓋を抜け不能に保持することになるから，充填の作業性をより向上できる。
【００２７】
これに加えて，前記係合片を前記弾性片の弾性に抗して内向きに引っ込ませることで，前記落とし蓋を前記吸上げパイプから取り外すことができるので，詰め替えも，充填するときと同様の作業順序にて更に容易に行なうことができる。
【００２８】
この請求項５においては，特に，請求項６に記載の構成にすることにより，前記吸上げパイプの下端に弾性片を一体に形成することが，一対の切り込み部を設けることで簡単にでき，その一方で，前記切り込み部は，前記落とし蓋が前記係合片に係合したときにおいて，前記落とし蓋におけるボス部にて塞がれることにより，この切り込み部から前記吸上げパイプ内に空気が入ることを阻止できるから，粘性流動体の残量を確実に少なくできる。
【００２９】
また，請求項７によると，前記落とし蓋が，前記容器に対して傾くことを，その外周に設けた筒部にて阻止することができ，前記落とし蓋の上下動が円滑になることに加えて，前記落とし蓋の下面側における粘性流動体か，落とし蓋の上面側に漏れだことを確実に少なくできる。
【図面の簡単な説明】
【００３０】
【図１】本考案の実施の形態を示す縦断正面図である。
【図２】前記実施の形態の分解図である。
【図３】図２の要部拡大図である。
【図４】図３のIV−IV視断面図である。
【考案を実施するための形態】
【００３１】
以下，本考案の実施の形態を，図１〜図４の図面について説明する。
【００３２】
これらの図において，符号１は，合成樹脂等の適宜の材料にて円筒又は角筒の筒型に構成した容器を示し，この容器１は，上面を開放した筒体部２と，この筒体部２の下部における底面板３とで構成され，前記筒体部２の上端には，その上端における開口を塞ぐ蓋体４が着脱可能に螺着されており，この容器１内には，クリーム等のような粘性流動体５の適宜量が充填される。
【００３３】
符号６は，合成樹脂等の適宜の材料にて円盤型に構成した落とし蓋を示し，この落とし蓋６は，前記容器１内に，前記粘性流動体５の液面に密接するように装填され，更に，その外周に上向きに突出するように一体に設けた筒部６ａが，前記容器１の筒体部２における内周面に近接するか又は接する状態で，前記粘性流動体５の液面と一緒に上下動するという構成になっており，更に，この落とし蓋６の上面に上向きに突出するように一体に設けたボス部７には，以下に述べるように，吸上げパイプ９を摺動自在に差し込み挿入する貫通孔８が穿設されている。
【００３４】
符号９は，合成樹脂等の適宜の材料による吸上げパイプを示し，この吸上げパイプ９は，前記容器１内に，当該容器１の蓋体２に一体に設けた口部１０から挿入されるもので，前記落とし蓋６のボス部７における貫通孔８内に摺動自在に差し込み挿入された状態で更に下向きに延びており，その下端１１は，前記容器１における底面板３に近接した部位において前記容器１内に開口している一方，その上端１２は，前記容器１の蓋体２における口部１０に，これに螺合する袋ナット１３等にて着脱可能に取付けられるという構成である。
【００３５】
更に，前記吸上げパイプ９の上端には，押し下げ式の抽出ポンプ１４が取付けられており，この抽出ポンプ１４は，従来から良く知られているように，そのヘッド１５の押し下げ操作によって，前記容器１内における粘性流動体５を，前記ヘッド１５におけるノズル２０から定量ずつ吐出（抽出）するという構成になっている。
【００３６】
つまり，前記容器１内における粘性流動体５は，その液面に密接する落とし蓋６の上面に作用する大気圧にて常時下向きに押圧されていることにより，前記抽出ポンプ１４におけるヘッド１５を押し下げ操作する度ごとに定量ずつ抽出される。
【００３７】
そして，前記吸上げパイプ９における下端１１には，図３及び図４に示すように，その下端縁から上向きに延びる溝型の切り込み部１６を一対設けることにより，この両切り込み部１６間の部分に弾性片１７を形成している。
【００３８】
前記弾性片１７は，前記吸上げパイプ９から下向きに一体に延びて，その先端である自由端が半径方向に動くように弾性的に撓み変形するという構成であり，その下端である自由端における外周面には，半径方向の外向きに突出することで前記落とし蓋６の下面に抜け不能に係合する係合片１８が一体に設けられている。
【００３９】
前記弾性片１７と前記係合片１８とは，前記吸上げパイプ９における円周に沿って複数（図面では二箇所）の等分箇所に設けられている。
【００４０】
また，前記係合片１８は，前記吸上げパイプ９を前記貫通孔８内に差し込み挿入するとき，その差し込み挿入を許容するように，前記弾性片１７の弾性に抗して内向きに引っ込んだ（没した）状態と，前記差し込み挿入の完了したあとで前記弾性片１７の弾性にて前記吸上げパイプ９の外周面より外向きに突出する状態とに弾性的に出没する構成であり，更に，この係合片１８には，前記吸上げパイプ９の前記貫通孔８内への差し込み挿入を容易にするためにガイド用の傾斜面１８ａが設けられている。
【００４１】
この場合，他の実施の形態においては，前記弾性片１７及び前記係合片１８を，前記吸上げパイプ９に設けることに代えて，前記落とし蓋６におけるボス部７に設けるという構成にすることができる。
【００４２】
図示の実施の形態においては，前記落とし蓋６の下面のうち前記係合片１８が係合する部分に，凹所１９を設けて，前記落とし蓋６が前記容器１における底面板３に最も接近する状態にまで下降したときにおいて，この凹所１９内に前記係合片１８が嵌まるように構成していることに加えて，前記切り込み部１６を，前記落とし蓋６におけるボス部７にて塞ぐという構成にしている。
【００４３】
この構成において，前記吸上げパイプ９の下端に設けた抜け止め用の係合片１８が，前記弾性片１７の弾性にて出没動する構成であることにより，前記吸上げパイプ９を前記落とし蓋６における貫通孔８内に差し込み挿入することを，先ず，前記容器１内に粘性流動体５の適宜量を充填し，次いで，この粘性流動体５の液面に前記落とし蓋６を装填したあとにおいて行なうことができる。
【００４４】
この吸上げパイプ９の差し込み挿入が完了すると，前記係合片１８は，前記前記弾性片１７の弾性にて前記吸上げパイプ９の外周面より突出して前記落とし蓋６の下面に係合するから，前記落とし蓋６は前記吸上げパイプ９に抜け不能に保持される。
【００４５】
これにより，前記容器１内への充填作業が，先ず容器１内に粘性流動体５を充填し，次いで容器１内に前記落とし蓋６を装填したのち，前記吸上げパイプ９を差し込み挿入するという順序で行なうことができる一方，前記吸上げパイプ９を容器１内から引き抜くことで，これと一緒に前記落とし蓋６を容器１内から取り出すことができる。
【００４６】
前記容器１内に充填された粘性流動体５は，前記抽出ポンプ１５におけるヘッド１５を押し下げ操作することによって，そのノズル２０から定量が吐出（抽出）される。これにより，前記容器１内の粘性流動体５は，その圧力が低くなることで，その液面に密接する落とし蓋６の上面に作用する大気圧にて常時下向きに押圧されることになるから，前記抽出ポンプ１４におけるヘッド１５を押し下げ操作する度ごとに定量ずつ抽出される。
【００４７】
前記容器１内における落とし蓋６は，前記前記容器１内の粘性流動体５が減少にするにつれて下降して，前記容器１における底面板３に接近する。
【００４８】
このとき，つまり，前記落とし蓋６が前記底面板３に最も接近したときにおいて，前記吸上げパイプ９の下端における係合片１８が，前記落とし蓋６の下面における凹所１９に嵌まり係合することになるから，前記落とし蓋６が前記底面板３に最も接近した時点において前記容器１内に残ることになる粘性流動体の残量を，前記凹所１９を設けていない場合よりも大幅に少なくできる。
【００４９】
特に，前記落とし蓋６が前記底面板３に最も接近したときにおいて，前記切り込み部１６が前記落とし蓋６にて塞がれることによって，この切り込み部１６から前記吸上げパイプ９内に空気が入ることを阻止できるから，残量の低減を確実に達成できる。
【００５０】
しかも，前記吸上げパイプ９の下端における係合片１８は，前記吸上げパイプ９における円周に沿って少なくとも二箇所以上の複数の等分箇所に設けられていることにより，前記落とし蓋６を，前記吸上げパイプ９の引き抜きと一緒に容器１内から取り外すときに，当該落とし蓋６が前記吸上げパイプ９の軸線に対して傾くのを，小さく又は無くすることができる。
【００５１】
また，前記係合片１８は，前記吸上げパイプ９に一体に形成した弾性片１７に設けられていて，前記弾性片１７の弾性に抗して内向きに引っ込んだ（没した）状態にできるから，前記落とし蓋６を前記吸上げパイプ９から取り外すことができる。これにより，詰め替えを，充填するときと同様の作業順序にて行なうことができる。
【符号の説明】
【００５２】
１                      容器
３                      容器の底面板
４                      容器の蓋体
５                      粘性流動体
６                      落とし蓋
８                      貫通孔
９                      吸上げパイプ
１１                    吸上げパイプの下端
１４                    抽出ポンプ
１６                    切り込み部
１７                    弾性片
１８                    係合片
１９                    凹所
【図１】
0003168181.tif 000003
【図２】
0003168181.tif 000004
【図３】
0003168181.tif 000005
【図４】
0003168181.tif 000006